(57)【要約】【課題】  開封作業が容易で、且つ、空気、異物等の混入を防ぐことができる、密封性・衛生性に優れた食品包装用袋及びその製造方法を提供すること。【解決手段】  以下の（１）〜（４）の工程からなる製造方法で製造される食品包装用袋。（１）長尺の外側フィルム２ａ（３ａ）の幅方向に所定間隔ごとに、又は、長手方向中央部に断続的又は連続的に切り込みを形成して外側フィルム２ａ（３ａ）を作成する工程、（２）前記外側フィルム２ａ（３ａ）に内側フィルム２ｂ（３ｂ）を積層する工程、（３）前記（２）の工程で得られた積層フィルムを内側フィルム２ｂ、３ｂ同士が向き合うように重ね合わせる工程、（４）前記（３）の工程で得られた重ね合わされたフィルムを、幅方向の両端部が台形形状の上辺又は底辺となるようにして前記底辺以外の部分５、４、４’を熱シールした後に前記熱シール部の中央部に沿って台形形状に切断する工程。【選択図】    図５
2005178849.tif 000002
【特許請求の範囲】
【請求項１】
２枚のフィルムから形成され、３方がシールされ、１方が開口されている食品包装用袋において、前記２枚のフィルムのそれぞれが、外側の第１フィルムと内側の第２フィルムとからなる少なくとも２層構造を有し、かつ、前記第１フィルムにのみ、横方向又は縦方向に切り込みが断続的又は連続的に形成されていることを特徴とする食品包装用袋。
【請求項２】
前記第１フィルム及び第２フィルムの間に更に合成樹脂層からなる中間層が形成されていることを特徴とする請求項１に記載の食品包装用袋。
【請求項３】
前記第２フィルムが、ポリプロピレンフィルム、ポリエチレンフィルム、ナイロンフィルム、化繊紙、上質紙、セロファンフィルム、アルミニウム箔から選択された１種であることを特徴とする請求項１又は２に記載の食品包装用袋。
【請求項４】
前記食品包装用袋は、台形形状に形成されており、台形形状の底辺を開口部とし、上辺及び両縁辺の３辺がシールされた袋体からなることを特徴とする請求項１〜３の何れか１項に記載の食品包装用袋。
【請求項５】
前記台形形状の縁辺と底辺の交角が切り落とされていることを特徴とする請求項４に記載の食品包装用袋。
【請求項６】
前記シール部分の前記切り込みが形成されている部分の一部が所定形状に切断されていることを特徴とする請求項１〜５の何れか１項に記載の食品包装用袋。
【請求項７】
以下の（１）〜（４）の工程からなることを特徴とする食品包装用袋の製造方法。
（１）長尺のフィルムの幅方向に所定間隔ごとに、又は、長手方向に、断続的又は連続的に切り込みを形成して第１フィルムを作成する工程、
（２）前記第１フィルムに第２フィルムを積層する工程、
（３）前記（２）の工程で得られた積層フィルムを前記第２フィルム同士が向き合うように重ね合わせる工程、
（４）前記（３）の工程で得られた重ね合わされたフィルムを、幅方向の両端部が台形形状の上辺又は底辺となるようにして前記底辺以外の部分を熱シールした後に前記熱シール部の中央部に沿って台形形状に切断する工程。
【請求項８】
前記（２）の工程は、前記（１）の工程で得られた第１フィルムの表面に合成樹脂層を塗工して第２フィルムを形成、積層する工程であることを特徴とする請求項７に記載の食品包装用袋の製造方法。
【請求項９】
前記（２）の工程は、前記第１フィルムと前記第２フィルムとの間に合成樹脂を塗工しながら圧着して積層する工程であることを特徴とする請求項７に記載の食品包装用袋の製造方法。
【請求項１０】
前記（２）の工程は、前記第１フィルムと第２フィルム単独又は接着剤が塗工された第２フィルムを圧着して積層する工程であることを特徴とする請求項７に記載の食品包装用袋の製造方法。
【請求項１１】
前記第２フィルムが、ポリプロピレンフィルム、ポリエチレンフィルム、ナイロンフィルム、化繊紙、上質紙、セロファンフィルム、アルミニウム箔から選択された１種であることを特徴とする請求項７〜１０の何れか１項に記載の食品包装用袋の製造方法。
【請求項１２】
前記（４）の工程において、更に前記台形形状の縁辺と底辺の交角を切り落とす工程を設けたことを特徴とする請求項７〜１１の何れか１項に記載の食品包装用袋の製造方法。
【請求項１３】
前記（４）の工程において、前記熱シール部の中央部に沿って台形形状に切断する前に、更に前記シール部の切り込みが形成されている部分の一部を所定形状に打ち抜く工程を設けたことを特徴とする請求項７〜１２の何れか１項に記載の食品包装用袋の製造方法。
【発明の詳細な説明】
【技術分野】
【０００１】
本発明は、サンドイッチや蒸しパン等のような三角柱状に製造された三角柱状食品（以下「サンドイッチ等」と称する。）を包装するための食品包装用袋及びその製造方法に関する。
【背景技術】
【０００２】
従来からスーパーマーケットのみならず、コンビニエンス・ストア等においても調理したサンドイッチ等が多く販売されている。このようなサンドイッチ等の包装用袋は、一般に台形の２枚の合成樹脂製フィルムが重ね合わされて３方がシールされて密封され、底部が開口した形のものが基本的な形態であり、広く普及しており、特許文献にも開示されている。（例えば、特許文献１参照。）
【０００３】
図８（ａ）は下記特許文献１に開示されているサンドイッチ等の包装用袋（以下単に「包装用袋」という。）の正面図、図８（ｂ）はＢ−Ｂ線断面図を示し、図９は、包装用袋にサンドイッチ等を収納した状態を示す斜視図、図１０は、包装用袋にサンドイッチ等を収納し包装した状態を示す斜視図である。
図８（ａ）、図８（ｂ）に示すように、包装用袋５１は、フィルム５２とフィルム５３との両縁辺５４、５４’がシールされると共に、前記両フィルム５２、５３の下端部に開口部５７を有し、かつ上端側が先細りに形成されて台形形状とされ、前記上端に閉塞されたシール部５５を有している。
【０００４】
このような構成からなる包装用袋５１は、図８に示すように、前記包装用袋の台形形状のシール部５５方向に向けて、例えば、三角形状のサンドイッチ５８の頂角部分が押し入れられて収納され、前記収納された状態において、サンドイッチ５８から飛び出ているフィルム５２とフィルム５３の余剰部分５９を折り畳んで、図１０に示すような包装されたサンドイッチ製品として提供されるものである。
【０００５】
そして、包装物を取り出すための開封構造としては、図８（ａ）に示すように、台形形状の包装用袋５１のほぼ中央部の横方向に切り込み５６を断続的に多数形成させている。すなわち、断続的に形成された切り込み５６を介してその両側のフィルムを上下に引っ張ると、フィルムはその切り込み５６の位置に沿って切断されることとなる。
【０００６】
かかる開封構造によれば、
（イ）サンドイッチ等を取り出すための開封作業を容易かつスムーズに行うことができ、
（ロ）サンドイッチ等が正立した状態で包装用袋は横方向に開封されるので、開封後はサンドイッチ等の上部が完全に露出することになり、サンドイッチ等の取り出しが容易な開口面積を得ることができ、
（ハ）特にサンドイッチにおいては、開封後もサンドイッチの下部は４方から包装用袋に覆われているので、サンドイッチの正立状態が維持可能であり、サンドイッチの積層構造を乱すことがなく、美観を維持し得る、
という利点がある。
【０００７】
【特許文献１】実開平５−６１０８９号公報（図１、図３、図４、及び、図５）
【発明の開示】
【発明が解決しようとする課題】
【０００８】
しかし、上記従来の包装用袋では、切り込み５６を設けたために、サンドイッチ等を取り出すための開封作業が容易かつスムーズに行うことができ、前記サンドイッチ等の取り出しが容易な開口面積を得ることができるものの、かかる切り込み部分から空気が浸透し、サンドイッチ等が空気に触れて乾燥し、美味しさや鮮度を低下させるという問題点があった。又、切り込み５６部分から異物や小さな虫が混入するという衛生面における問題点も存在していた。
【０００９】
本発明は、これらの従来技術の課題を解決するためになされたものであって、本発明の目的は、サンドイッチ等を取り出すための開封作業の容易化、前記サンドイッチ等の取り出し容易な開口面積の取得を維持しつつ、サンドイッチ等が空気に触れて乾燥することを防ぐとともに前記切り込み部分から異物や小さな虫の混入を防ぐことができる、密封性・衛生性に優れたなサンドイッチ等の包装用袋及びその製造方法を提供することにある。
【課題を解決するための手段】
【００１０】
前記課題を解決するために、本願の請求項１に係る食品包装用袋の発明は、２枚のフィルムから形成され、３方がシールされ、１方が開口されている食品包装用袋において、前記２枚のフィルムのそれぞれが、外側の第１フィルムと内側の第２フィルムとからなる少なくとも２層構造を有し、かつ、前記第１フィルムにのみ、横方向又は縦方向に切り込みが断続的又は連続的に形成されていることを特徴とする。
【００１１】
また、本願の請求項２に係る発明は、請求項１に記載の食品包装用袋において、前記第１フィルム及び第２フィルムの間に更に合成樹脂層からなる中間層が形成されていることを特徴とする。
【００１２】
また、本願の請求項３に係る発明は、請求項１又は２に記載の食品包装用袋において、前記第２フィルムが、ポリプロピレンフィルム、ポリエチレンフィルム、ナイロンフィルム、化繊紙、上質紙、セロファンフィルム、アルミニウム箔から選択された１種であることを特徴とする。
【００１３】
また、本願の請求項４に係る発明は、請求項１〜３の何れか１項に記載の食品包装用袋において、前記食品包装用袋は、台形形状に形成されており、台形形状の底辺を開口部とし、上辺及び両縁辺の３辺がシールされた袋体からなることを特徴とする。
【００１４】
また、本願の請求項５に係る発明は、請求項４に記載の食品包装用袋において、前記台形形状の縁辺と底辺の交角が切り落とされていることを特徴とする。
【００１５】
また、本願の請求項６に係る発明は、請求項１〜５の何れか１項に記載の食品包装用袋において、前記シール部分の前記切り込みが形成されている部分の一部が所定形状に切断されていることを特徴とする。
【００１６】
更に、本願の請求項７に係る食品包装用袋の製造方法の発明は、以下の（１）〜（４）の工程からなる食品包装用袋の製造方法であることを特徴とする。
（１）長尺のフィルムの幅方向に所定間隔ごとに、又は、長手方向に、断続的又は連続的に切り込みを形成して第１フィルムを作成する工程、
（２）前記第１フィルムに第２フィルムを積層する工程、
（３）前記（２）の工程で得られた積層フィルムを前記第２フィルム同士が向き合うように重ね合わせる工程、
（４）前記（３）の工程で得られた重ね合わされたフィルムを、幅方向の両端部が台形形状の上辺又は底辺となるようにして前記底辺以外の部分を熱シールした後に前記熱シール部の中央部に沿って台形形状に切断する工程。
【００１７】
また、本願の請求項８に係る発明は、前記請求項７に記載の食品用包装袋の製造方法において、前記（２）の工程は、前記（１）の工程で得られた第１フィルムの表面に合成樹脂層を塗工して第２フィルムを形成、積層する工程であることを特徴とする。
【００１８】
また、本願の請求項９に係る発明は、前記請求項７に記載の食品包装用袋の製造方法において、前記（２）の工程は、前記第１フィルムと前記第２フィルムとの間に合成樹脂を塗工しながら圧着して積層する工程であることを特徴とする。
【００１９】
また、本願の請求項１０に係る発明は、前記請求項７に記載の食品用包装袋の製造方法において、前記（２）の工程は、前記第１フィルムと第２フィルム単独又は接着剤が塗工された第２フィルムを圧着して積層する工程であることを特徴とする。
【００２０】
また、本願の請求項１１に係る発明は、前記請求項７〜１０の何れか１項に記載の食品用包装袋の製造方法において、前記第２フィルムが、ポリプロピレンフィルム、ポリエチレンフィルム、ナイロンフィルム、化繊紙、上質紙、セロファンフィルム、アルミニウム箔から選択された１種であることを特徴とする。
【００２１】
また、本願の請求項１２に係る発明は、前記請求項７〜１１の何れか１項に記載の食品用包装袋の製造方法において、前記（４）の工程において、更に前記台形形状の縁辺と底辺の交角を切り落とすようになしたことを特徴とする。
【００２２】
また、本願の請求項１３に係る発明は、前記請求項７〜１２の何れか１項に記載の食品用包装袋の製造方法において、前記（４）の工程において、前記熱シール部の中央部に沿って台形形状に切断する前に、更に前記シール部の切り込みが形成されている部分の一部を所定形状に打ち抜く工程を設けたことを特徴とする。
【発明の効果】
【００２３】
本願発明は上記構成を備えることにより以下に述べるような優れた効果を奏する。すなわち、本願の請求項１に記載の食品包装用袋によれば、サンドイッチ等の食品を取り出すための開封作業の容易化、前記サンドイッチ等の取り出し容易な開口面積の取得を維持しつつ、サンドイッチ等の食品が空気に触れて乾燥することを防ぐことができるという効果を奏する。
【００２４】
より具体的には、本発明の食品包装用袋を形成する２枚のフィルムは、切り込みが断続的又は連続的に形成されている外側の第１フィルムに切り込みが形成されていない内側の第２フィルムが積層されているので、
（１）袋本体を構成するフィルムを上下ないしは左右に引張ると断続的又は連続的に形成された前記切り込みを介して容易に引き裂いて開封することができ、また、前記サンドイッチ等食品の取り出し容易な開口面積も得ることができ、
（２）開封しない状態においては、内側の第２フィルムには切り込みが形成されていないため、外側の第１フィルムから浸入する空気を遮断することができ、サンドイッチ等が空気に触れて乾燥することを防ぐことができるとともに、前記切り込み部分から異物や小さな虫の混入を防ぐことができ、密封性・衛生性に優れている、
という効果を得ることができる。
【００２５】
また、本願の請求項２に記載の食品包装用袋によれば、前記請求項１に記載の発明の効果に加えて、第２フィルムの材質を変えることができるので、食品包装用袋に対して種々の特性を備えさせることが可能となる。例えば、本願の請求項３に記載の食品包装用袋のように、第２フィルムを、ポリプロピレンフィルム、ポリエチレンフィルム、ナイロンフィルム、化繊紙、上質紙、セロファンフィルム、アルミニウム箔から選択された１種とすれば、切り裂きやすさを任意にコントロールでき、しかも前記請求項１に記載の発明の効果も奏する食品包装用袋となる。
【００２６】
また、本願の請求項４に記載の食品包装用袋によれば、包装用袋が台形形状に形成されているために、サンドイッチ等の三角柱状の食品を容易に包装できるようになる。
【００２７】
また、本願の請求項５に記載の食品包装用袋によれば、サンドイッチ等の食品を包装した際に、包装用袋の底面において折り畳んだフィルムの積層枚数を減らすことができるので、凹凸が減少するために包装した食品を安定に直立に載置させることができるようになる。
【００２８】
また、本願の請求項６に記載の食品包装用袋によれば、一定形状の切断部分から容易に食品包装用袋を引き裂いて開封することができるようになる。
【００２９】
本願の請求項７に記載の食品包装用袋の製造方法によれば、サンドイッチ等の食品を取り出すための開封作業の容易化、前記サンドイッチ等の取り出し容易な開口面積の取得を維持しつつ、サンドイッチ等の食品が空気に触れて乾燥することを防ぐことができる食品包装用袋を製造することができる。
【００３０】
また、本願の請求項８に記載の食品包装用袋の製造方法によれば、粘性状の合成樹脂の塗工量を制御することにより任意厚さの第２フィルムを形成、積層することができるので、食品包装用袋の強度及び引裂強度を容易に制御することができるようになる。
【００３１】
また、本願の請求項９に記載の食品包装用袋の製造方法によれば、第１フィルムと第２フィルムとが互いに接着性を有しないものであっても、両者を合成樹脂によって圧着して積層できるので、第１フィルム及び第２フィルムとして多種多様な組み合わせが可能となるので、種々の特性を備えた食品包装用袋を製造できるようになる。
【００３２】
また、本願の請求項１０に記載の食品包装用袋の製造方法によれば、単に圧着するという簡単な方法で第１フィルムと第２フィルムとを積層したフィルムを得ることができるようになる。
【００３３】
また、本願の請求項１１に記載の食品包装用袋の製造方法によれば、第２フィルムを、ポリプロピレンフィルム、ポリエチレンフィルム、ナイロンフィルム、化繊紙、上質紙、セロファンフィルム、アルミニウム箔から選択された１種とすることにより、切り裂きやすさを任意にコントロールできる食品包装用袋を製造することができるようになる。
【００３４】
また、本願の請求項１２又は１３に記載の食品包装用袋の製造方法によれば、容易に前記請求項５又は６に記載の食品包装用袋を製造することができるようになる。
【発明を実施するための最良の形態】
【００３５】
以下、図面を参照して、本発明の最良の実施形態を説明する。但し、以下に示す実施形態は、本発明の技術思想を具体化するための食品包装用袋及びその製造方法を例示するものであって、本発明をこの食品包装用袋及びその製造方法に特定することを意図するものではなく、特許請求の範囲に含まれるその他実施形態のものも等しく適用し得るものである。
【実施例１】
【００３６】
図１は、この発明の実施例１に係るサンドイッチ等の食品包装用袋１（以下単に「包装用袋１」という。）の正面図、図２は、図１のＢ−Ｂ線断面図、図３は、台形形状の縁辺と底辺との交角を切り落とした包装用袋の斜視図、図４は、切り込みの左右両端をＶ字状型に切断させた包装用袋の正面図、を示すものである。
【００３７】
図２に示すように、本発明の食品包装用袋１は、第１フィルム２ａ、第２フィルム２ｂを積層してなるフィルム２と、第１フィルム３ａ、第２フィルム３ｂを積層してなるフィルム３とを第２フィルム２ｂと３ｂ同士が向き合うように重ね合わせたものであって、図１に示すように、台形形状を有するとともに、前記台形形状の底辺が開口部７となり、両縁辺４、４’及び上辺５が熱シールされて袋状の収納部が形成されている。
【００３８】
更に、図１に示すように、第１フィルム２ａ、３ａには、前記台形の略中央横位置に切り込み６が連続的に形成されている。なお、前記切り込み６は、第１フィルム２ａ、３ａのみに設けられ、第２フィルム２ｂ、３ｂには設けられていない。
【００３９】
このような構成の本発明の食品包装用袋１は、図８〜図１０に示した特許文献１に記載された発明と同様に、包装用袋１内にサンドイッチ等を挿入した後、サンドイッチ等から飛び出たフィルム２とフィルム３の余剰部分を折り畳んで、サンドイッチ等を包装して使用されるものである。
【００４０】
なお、切り込み６は、図１に示したような連続的なものばかりでなく、ミシン目のような断続的なものでも、図７に示した先行技術１に記載の発明のように十字であってもよい。
【００４１】
また、台形形状の包装用袋１は、図３に示すように、台形形状の縁辺と底辺との交角を切り落とすことにより、切り落とし部８が設けられたものであってもよい。これによれば、サンドイッチを包装した前記包装用袋１の底面において、折り畳んだフィルムの積層枚数を減らすことができるので、凹凸が減少するため、サンドイッチを安定、直立に載置させることができる。
【００４２】
更に、台形形状の包装用袋１は、図４に示すように、台形形状の略中央横方向に形成された切り込み６の左右両端に所定形状に打ち抜くように形成された切断部９、９’を設けてもよい。かかる構成により、切り込み６を介した包装用袋１の開封作業がより容易かつスムーズに行うことができる。なお、前記所定形状としては、切り込み６を介した包装用袋１の開封作業がより容易かつスムーズに行うことができるものであればどのような形状でもよく、例えば、Ｖ字状型、五角形状型、六角形状、Ｉ字型などが考えられる。
【００４３】
本発明の食品包装用袋１の材料としては、外側の第１フィルム及び内側の第２フィルムとも周知の食品包装用のプラスチックフィルムが使用可能であり、透明又は半透明のものが好ましい。具体的なプラスチックフィルムの材質としては、ポリプロピレン、ポリエチレン、ポリエチレンテレフタレート、ポリ塩化ビニル等のプラスチックフィルム、ナイロンフィルム、化繊紙、上質紙、セロファン、Ａｌ箔などが挙げられるが、ポリプロピレンが、コストが安価であり、酸素バリヤー性等の特性にも優れるため好ましい。また、上記フィルム２ａ（３ａ）、２ｂ（３ｂ）の厚みは、一般に２０〜４０μｍのものが使用される。
【００４４】
本発明の食品包装用袋１は、以下の方法で連続的に製造することができる。すなわち、図５は、この発明の実施例１に係る包装用袋１の製造工程を示す図であり、図５（ａ）は、第１フィルム２ａ（３ａ）に切り込み６を断続的又は連続的に形成した後、第１フィルム２ａ（３ａ）に第２フィルム２ｂ（３ｂ）を積層する工程を示す図、図５（ｂ）は、第１フィルム２ａと第２フィルム２ｂを積層してなるフィルム２と、第１フィルム３ａと第２フィルム３ｂを積層してなるフィルム３とを重ね合わせる工程を示す図、図５（ｃ）は台形形状に熱シールした状態を示す図、図５（ｄ）は熱シール部の一部を所定形状に打ち抜いた状態を示す図５（ｃ）の一部拡大図である。
【００４５】
図５（ａ）に示すように、第１フィルムの供給ロール４０より供給される長尺シート状の第１フィルム２ａ（３ａ）に、長手方向中央部に、切り込み具４１によって、ガイドロール４２の位置で、切り込み６を断続的に多数又は連続的に形成し、その後、切り込み６が形成されたシート状の第１フィルム２ａ（３ａ）に、Ｔダイ４３により例えば加熱されて粘性状とされた合成樹脂Ａを塗工して圧着ロール４４、４４’間を通して一定厚さにした後、冷却、硬化させて第２フィルム２ｂ（３ｂ）を第１フィルム２ａ（３ａ）に積層させ、シート状フィルム２（３）を形成し、巻取ロール４５により巻き取る。
【００４６】
次いで、図５（ｂ）に示すように、得られたシート状フィルム２を所定長さに切断し、この切断したシート状フィルムを２枚用意し、それぞれの第２フィルム２ｂ及び３ｂ同士が向き合うように、シート状フィルム２及び３を重ね合わせる。
【００４７】
そして、図５（ｃ）に示すように、シート状のフィルム２及び３を重ね合わせたものを台形形状となるように、台形形状の上辺５及び縁辺４、４’を熱シールした後、縁辺の熱シール部の中間で切断して、図１に示すように、両縁辺４、４’がシールされた、台形形状の包装用袋１を得る。
【００４８】
なお、図５（ｄ）に示すように、上記縁辺４、４’を熱シールした後、切り込み６が縁辺４、４’上を貫通する位置で、例えば、ひし形状型、亀甲形状型、Ｉ字状型など所定形状に打ち抜いた後、縁辺の熱シール部の中間で切断して、図４に示すように、所定形状の切断部９を形成してもよい。
【００４９】
なお、本実施例１では、切り込み６を第１フィルム２ａ（３ａ）の中央部に連続的又は断続的に設けた側を示したが、これに限らず、第１フィルム２ａ（３ａ）の幅方向に沿って所定間隔ごとに連続的又は断続的に設けてもよい。
【実施例２】
【００５０】
実施例２では、実施例１とは異なる図６に示した製造工程により食品包装用袋の製造用フィルムを作成した。なお、図６は、この発明の実施例２に係る包装用袋の製造用フィルム２（３）の製造工程を示す図であり、図５に記載のものと同一の構成部分については同一の参照符号を付与することとしてその詳細な説明を省略する。この実施例２の製造工程は、第１フィルムロール４０及びガイドロール４２とは別に第２フィルムの供給ロール４６及びガイドロール４７を備えており、Ｔダイ４３より合成樹脂Ｂを供給して第１フィルム２ａ（３ａ）及び第２フィルム２ｂ（３ｂ）に塗工しながら圧着、積層するようになしている点で、実施例１の図５に示したものとは相違している。
【００５１】
すなわち、図５に記載の実施例１の食品包装用袋の製造工程では、シート状の第２フィルム２ｂ（３ｂ）はＴダイ４３より供給される粘性状の合成樹脂Ａにより形成されるが、このような構成では包装用袋の強度を増加させるためには粘性状の合成樹脂Ａの供給量を多くして第２フィルム２ｂ（３ｂ）の厚さを厚くする必要がある。しかしながら、粘性状の合成樹脂Ａを外側フィルム２ａ（３ａ）の表面に多量に塗工してその厚さを増加させるには技術的困難性が伴い、しかも高価となるために採用し難い。そこで、実施例２に係る食品包装用袋の製造方法では、別途第２のフィルムロール４６を用意し、この第２のフィルムロール４６からガイドロール４７を介して供給されるシート状の第２フィルム２ｂ（３ｂ）と、図５に記載したものと同様に供給される切り込み６が形成されたシート状の第１フィルム２ａ（３ａ）とを圧着ロール４４、４４’に供給し、両フィルムの間にＴダイ４３より粘性状の合成樹脂Ｂを供給して塗工し、両フィルムを圧着ロール４４、４４’間を通すことにより圧着して貼り合わせるようにしたものである。この実施例２により得られる包装用袋の製造用フィルム２（３）は実質的に３層構造となる。
【００５２】
このような実施例２の食品包装用袋の製造用フィルム２（３）の製造工程を採用すれば、包装用袋に必要な強度は第２フィルムロール４６から供給されるシート状の第２フィルム２ｂ（３ｂ）により得られるため、Ｔダイ４３から供給される合成樹脂Ｂの量を減らして合成樹脂層からなる中間層を薄くすることが可能となり、簡単にかつ安価に高強度でありながら所定の方向に易切り裂き性を有する包装用袋の製造用フィルム２（３）を得ることができるようになる。また、例えば、第１フィルムを透明フィルムとし、第２フィルムを、ポリプロピレンフィルム、ポリエチレンフィルム、ナイロンフィルム、化繊紙、上質紙、セロファンフィルム、アルミニウム箔から選択された１種とすれば、見かけ上第２フィルムの外観を示しながらも表面の第１フィルムにより所定の方向に易切り裂き性が付与された包装用袋の製造用フィルム２（３）が得られ、さらには、第２フィルムの物性に応じた切り裂き性を付与することが可能となる。なお、実施例２で得られた包装用袋の製造用フィルム２（３）を用いて包装用袋を製造する工程は、実施例１に示したものと同じであるので、その詳細な説明は省略する。
【実施例３】
【００５３】
実施例３では、実施例１ないし２で使用されているような合成樹脂ＡないしはＢを使用せず、図７に示した製造工程により、高強度の食品包装用袋でありながら、小さい力で切り裂き開封できる食品包装用袋の製造用フィルムを作成した。なお、図７は実施例３の包装用袋製造用フィルムの製造工程を示す図であり、図５及び図６に記載のものと同一の構成部分については同一の参照符号を付与することとしてその詳細な説明を省略する。この実施例３の製造工程は、供給ロール４６’から供給される第２フィルム２ｂ（３ｂ）として、第１フィルムと圧着性を有するもの又は表面に接着剤層が設けられたものを使用し、第１フィルム２ａ（３ａ）及び第２フィルム２ｂ（３ｂ）を圧着ロール４４、４４’で圧着するようになしている点で、実施例２の図６に示したものとは相違している。
【００５４】
シート状の第２フィルム２ｂ（３ｂ）は、例えば熱可塑性樹脂製シートや片側表面に接着剤が塗工されているものが使用でき、この第２フィルム２ｂ（３ｂ）単独ないしは接着剤が塗工されている側とシート状の第１フィルム２ａ（３ａ）とが向かい合うようにして圧着ロール４４、４４’間を通すと、一体化したフィルムが得られる。なお、接着剤が塗工されている第２フィルム２ｂ（３ｂ）を使用した場合は、見かけ上３層構造のフィルムが得られるが、包装するものが食品であるということから接着剤が包装された食品に触れないようにすることが望ましい。シート状の第２フィルム２ｂ（３ｂ）として熱可塑性樹脂製シートを使用する場合は、圧着ロール４４、４４’による圧着の際に加熱しながら圧着することにより容易にシート状の第１フィルム２ａ（３ａ）と第２フィルム２ｂ（３ｂ）とを貼り合わせて一体化した食品包装用袋の製造用フィルム２（３）を製造することができ、この場合は２層構造のフィルムが得られる。
【００５５】
このような実施例３の食品包装用袋の製造用フィルム２（３）の製造工程を採用すれば、簡単に食品包装用袋の製造用フィルム２（３）を製造することができ、また、実施例２の場合と同様に、第２フィルム２ｂ（３ｂ）として第１フィルム２ａ（３ａ）とは異なる材料のものを使用することにより種々の物性を付与することができ、多種多様な物性を有する食品包装用袋を製造することが可能となる。なお、実施例３で得られた包装用袋の製造用フィルム２（３）を用いて包装用袋を製造する工程は、実施例１に示したものと同じであるので、その詳細な説明は省略する。
【図面の簡単な説明】
【００５６】
【図１】包装用袋の正面図である。
【図２】図１のＢ−Ｂ線断面図である。
【図３】台形形状の横縁と底辺との交角を切り落とした包装用袋の斜視図である。
【図４】切り込みの左右両端をＶ字状型に切断した包装用袋の正面図である。
【図５】実施例１の包装用袋の製造工程を示す図であり、図５（ａ）は切り込み６を形成した外側フィルム２ａ（３ａ）に内側フィルムを積層する工程を示す図、図５（ｂ）はフィルム２、３を重ね合わせる工程を示す図、図５（ｃ）は台形形状に熱シールする状態を示す図、図５（ｄ）は熱シール部の一部を所定形状に打ち抜いた状態を示す図５（ｃ）の一部拡大図である。
【図６】実施例２の包装用袋製造用フィルムの製造工程を示す図である。
【図７】実施例３の包装用袋製造用フィルムの製造工程を示す図である。
【図８】従来の包装用袋を示す図であり、図８（ａ）は、従来の包装用袋の正面図、図８（ｂ）はＢ−Ｂ線断面図である。
【図９】包装用袋にサンドイッチ等を収納した状態を示す斜視図である。
【図１０】包装用袋にサンドイッチ等を収納し包装した状態を示す斜視図である。
【符号の説明】
【００５７】
１          サンドイッチ等の包装用袋
２、３      フィルム
２ａ、３ａ    外側フィルム
２ｂ、３ｂ    内側フィルム
４          縁辺のシール部
５          上辺のシール部
６          切り込み
７          開口部
８          切り落とし部
９          Ｖ字状型切断部
４０          外側フィルムの供給ロール
４１          切り込み具
４２、４７    ガイドロール
４３          Ｔダイ
４４、４４’  圧着ロール
４５          巻取ロール
４６          内側フィルムの供給ロール
【図１】
2005178849.tif 000003
【図２】
2005178849.tif 000004
【図３】
2005178849.tif 000005
【図４】
2005178849.tif 000006
【図５】
2005178849.tif 000007
【図６】
2005178849.tif 000008
【図７】
2005178849.tif 000009
【図８】
2005178849.tif 000010
【図９】
2005178849.tif 000011
【図１０】
2005178849.tif 000012